(57)【要約】【課題】  安定した状態で持ち運びができる梱包用箱を提供することである。【解決手段】  開閉自在の蓋３を有して被梱包物を収納する直方体状の外箱４の両側の側面７に、一方は手前側で他方は奥側に位置させて互いに対となる把手１０を設けた。【選択図】    図１
2006044672.tif 000002
【特許請求の範囲】
【請求項１】
開閉自在の蓋を有して被梱包物を収納する直方体状の外箱の両側の側面に、一方は手前側で他方は奥側に位置させて互いに対となる把手を設けたことを特徴とする梱包用箱。
【請求項２】
前記把手は前記外箱の側面の上縁に近接して設けられていることを特徴とする請求項１記載の梱包用箱。
【請求項３】
前記把手は両端を所定の間隔をおいて前記外箱の側面に固着した可撓性のあるベルト状部材であることを特徴とする請求項１又は２記載の梱包用箱。
【請求項４】
前記把手の把持部分には、パイプ状部材が嵌め込まれていることを特徴とする１、２又は３記載の梱包用箱。
【請求項５】
開閉自在の蓋を有して被梱包物を収納する直方体状の外箱の両側の側面に、一方は手前側で他方は奥側に位置させて互いに対となる把手を設け、前記外箱の上面に滑り止め部材を設けたことを特徴とする梱包用箱。
【請求項６】
前記滑り止め部材は、前記外箱の上面の手前側に設けられていることを特徴とする請求項５記載の梱包用箱。
【請求項７】
前記滑り止め部材は、前記外箱の上面の手前側の両側にそれぞれ1個ずつ設けられていることを特徴とする請求項５又は６記載の梱包用箱。
【請求項８】
前記滑り止め部材の形状は、三角形であることを特徴とする請求項7記載の梱包用箱。
【請求項９】
開閉自在の蓋を有して被梱包物を収納する直方体状の外箱の両側の側面に、一方は手前側で他方は奥側に位置させて互いに対となる把手を設け、前記外箱の正面側の側面に透明な伝票入れを設けたことを特徴とする梱包用箱。
【請求項１０】
開閉自在の蓋を有して被梱包物を収納する直方体状の外箱の両側の側面に、一方は手前側で他方は奥側に位置させて互いに対となる把手を設け、前記外箱の上面に滑り止め部材を設け、前記外箱の正面側の側面に透明な伝票入れを設けたことを特徴とする梱包用箱。
【請求項１１】
前記伝票入れは、伝票が収納される上方開放の袋状の収納部とこの収納部の上方を覆う蓋部とよりなることを特徴とする請求項９又は１０記載の梱包用箱。
【請求項１２】
前記収納部は、上方から一方の側面にかけて開放していることを特徴とする請求項１１記載の梱包用箱。
【請求項１３】
前記収納部の開放部分と前記蓋とはそれぞれ止着部材により止着されることを特徴とする請求項１２記載の梱包用箱。
【発明の詳細な説明】
【技術分野】
【０００１】
本発明は、商品を輸送する際に用いる梱包用箱に関する。
【背景技術】
【０００２】
従来、パソコンやＥＣＲ（Electronic Cash Register：電子式キャッシュレジスター）等の電子機器等を輸送する際、これらの電子機器等を輸送時の衝撃や振動から保護するため梱包用箱に収納している。この梱包用箱に電子機器等を収納するには、緩衝部材を用いているが、その緩衝部材としては発泡スチロールや段ボール紙による仕切り部材等が一般的であるが、その他にも、例えば特許文献１に開示されているように、周縁を枠体に保持されて展張された弾性フィルムを被梱包物の上下に位置させてその被梱包物を弾性フィルムにより挟み込んで被梱包物を空間内に浮かせ、これにより、被梱包物を弾性的に保持することも行われている。
【０００３】
また、梱包用箱の形状も一般的には直方体状である。しかも、非梱包物が電子機器等である場合には、梱包用箱の重量や大きさは、手で持ち上げることができる程度のものであり、作業者は手で持ち運んでいる。そのため、持ち運びやすくするために梱包用箱の両側面に指を差し込むことができる穴をあけたり、あるいは、把手を取り付けたりしている。
【０００４】
このような梱包用箱は、前述のように、その大きさが手持ち可能な程度であるため、輸送や保管時に積み重ねることが多い。その場合に、振動等で積み重ねた梱包用箱がずれることを防ぐために、梱包用箱の積み重ね面に滑り止め部材を設けることが行われている。例えば、特許文献２に、底面に滑材を有する積み重ね用梱包ケースの上面に前記滑材に接触するゴムを四隅に固定し、これにより、摩擦抵抗を増大させて積荷を安定させることが開示されている。
【０００５】
【特許文献１】特開２００１−１９２０６７号公報
【特許文献２】特開平８−１９８２７１号公報
【発明の開示】
【発明が解決しようとする課題】
【０００６】
梱包用箱を持ち運ぶために形成された手を差し込む穴や把手は、外箱の両側面の中央付近に設けられている。そのため、梱包される電子機器等の被梱包物が前後左右に重量バランスをとって収納されている場合には、比較的持ちやすいものであるが、電子機器等においては、重量の大きな電源部等の配置が前後又は左右に偏っていることが多く、外箱の中央部分で持ち上げた場合に、重量バランスが前後に偏って持ち運びにくいという問題がある。また、梱包用箱を積み重ねる場合においては、梱包用箱の上に他の梱包用箱を一旦載せてから水平に滑らせて位置合わせを行うことが多いが、この作業をする場合に、把持部分が梱包用箱の中央であると、上に行くに従って手の長さが不足することになり、手を差し込む穴や把手を利用せずに梱包用箱を動かさなければならない状態になり、作業性が悪いものである。
【０００７】
また、梱包用箱を積み重ねる作業を行う場合、特許文献２に記載された滑り止め部材であれば、重ね合わせた後に滑らせて位置合わせを行うことが難しいため、重ね合わせる前に水平方向の位置を完全に合わせなければならず、作業が難しく、しかも、かなりの労力を必要とするという問題がある。
【０００８】
さらに、電子機器等を運搬するこの種の梱包用箱の場合には、繰り返して使用する通い箱的な機能を持っている。そのため、内容物や送り先等を表示した伝票を外箱に接着することは不都合である。すなわち、伝票を何回も着脱できる機能が要求され、しかも、その伝票が雨等により濡れることを防止しなければならない。
【課題を解決するための手段】
【０００９】
本発明は、開閉自在の蓋を有して被梱包物を収納する直方体状の外箱の両側の側面に、一方は手前側で他方は奥側に位置させて互いに対となる把手を設けた梱包用箱とした。
【発明の効果】
【００１０】
本発明の梱包用箱によれば、開閉自在の蓋を有して被梱包物を収納する直方体状の外箱の両側の側面に、一方は手前側で他方は奥側に位置させて互いに対となる把手を設けた。そのため、被梱包物の重量バランスが前後又は左右に偏っているとしても外箱の把持位置が略対角線方向になり、バランスがとれた状態で持ち上げることができる。
【発明を実施するための最良の形態】
【００１１】
本発明の実施の一形態を図面に基づいて説明する。まず、梱包用箱１の全体形状は、直方体状であり、この梱包用箱１は、内部に電子機器等の被梱包物２を収納する蓋３付きの外箱４よりなる。この外箱４は、強度を増強された段ボール紙よりなり、底面５から正面６、両側の側面７、後面８を折り返して立ち上げ、前記正面６、前記側面７、前記後面８の接合部となる稜線部分は鋲その他の固定手段により固定されて上面開放の箱型に形成されている。また、後面８の上方の縁部からは、前述の蓋３が折り返されて形成されている。この蓋３の前方及び両側側縁には、前記正面６、前記側面７の上縁部の外側に重なり合うフランジ９が一体形成されている。
【００１２】
ついで、前記外箱４の両側の前記側面７には、それぞれ把手１０が設けられている。これらの把手１０の取付位置は、前記側面７の上縁に近く、左側の前記把手１０は手前側で右側の前記把手１０は奥側である。そして、前記把手１０は、可撓性のあるベルト状部材１１であり、このベルト状部材１１の両端は、鋲等の固定手段により前記外箱４に固定されている。また、前記把手１０の把手部分には、ある程度の形状安定性があるプラスチックスチューブ等により形成されたパイプ状部材１２が嵌め込まれている。
【００１３】
前記蓋３の上面の手前側には、二個の滑り止め部材１３が前記上面の隅部近傍に位置させて設けられている。これらの滑り止め部材１３は薄いゴム状部材により形成されているものであり、接着により固定されている。また、前記滑り止め部材１３は、直角三角形状であり、ベルトを切断する等の手段により切り屑が発生しない状態で製作される。
【００１４】
前記梱包用箱１は、一回限りの使用ではなく、繰り返して使用する通い箱的な性格がある。そのため、被梱包物２の表示や送り先等を明記した伝票１４を差し替え自在に保持する伝票入れ１５が前記正面６に設けられている。この伝票入れ１５は、透明なプラスチックスシートにより形成されており、前記伝票１４が収納される袋状の収納部１６と、この収納部１６の上方を覆う蓋部１７とよりなる。前記収納部１６は、上縁部と一方の側縁部が開放されて二方向に開放可能とされているものであり、この開放部分は圧着ファスナー等の止着部材１８により閉止状態に維持される構造になっている。また、前記蓋部１７にも圧着ファスナー等の止着部材１８が設けられており、前記収納部１６の開放部分を閉塞した状態が維持されるように配慮されている。
【００１５】
次に、前記外箱４の内部構造を説明する。前記外箱４の前記側面７の上縁にはフラップ１９が折り返して一体形成されて補強されているものであるが、その内部には、前記被梱包物２を上下から挟んで保持する二つの保持部材２０、２１が収納されている。すなわち、下方に位置する前記保持部材２０は、中央部に矩形状の窓２２が設けられた枠体２３と前記窓２２を覆って前記枠体２３の周縁に接着された弾性フィルム２４とよりなる。そして、前記枠体２３の四辺には、脚部２５が折り返されて一体形成されており、これらの脚部２５を前記外箱４の前記底面５に当接することにより、前記弾性フィルム２４の前記外箱４内における高さを定めている。また、上方に位置する前記保持部材２１は、前記保持部材２０と同様に、中央部に矩形状の窓２６が設けられた枠体２７と前記窓２６を覆って前記枠体２７の周縁に接着された弾性フィルム２８とよりなり、前記枠体２７の四辺には、脚部２９が折り返されて一体形成されている。そして、側面側の前記脚部２９の外面には、支持部３０となる圧接ファスナー３１が固着されている。前記外箱４の前記側面７の内面にも、前記支持部３０となる圧接ファスナー３２が固着されている。そのため、前記外箱４内に下方に位置する前記保持部材２０を収納し、その保持部材２０の弾性フィルム２４の上に被梱包物２を載置し、さらに、上方に位置する前記保持部材２１を装着して前記弾性フィルム２８が前記被梱包物２を適当な圧力で押圧する状態に位置決めして圧接ファスナー３１、３２同士を圧接して固定する。
【００１６】
このような構成において、被梱包物２の梱包は、まず、外箱４に保持部材２０を装着してから被梱包物２を弾性フィルム２４上に載せ、ついで、この被梱包物２の上に弾性フィルム２８を接合させながら適当な押圧力が与えられる状態にしてもう一つの保持部材２１を取り付ける。この場合に、保持部材２１の固定は、圧接ファスナー３１、３２同士を圧接することにより行う。このようにして被梱包物２を保持してから、フラップ１９を折り返して蓋３を閉め梱包を完了する。
【００１７】
また、被梱包物２の内容や送り先等を記載した伝票１４を伝票入れ１５に入れる。このとき、蓋部１７を開き、さらに、収納部１６の一部を開いて伝票１４を収納する。そのため、収納部１６が二方向に開放されていることからその開放口は大きくなり、伝票１４の収納作業を極めて簡単に行うことができる。収納した後は、止着部材１８で収納部１６の側縁部を止め、さらに、蓋部１７を止着部材１８で止める。伝票入れ１５に収納された伝票１４は、伝票入れ１５が透明であるため、その記載内容は外部から容易に読み取ることが可能である。しかも、伝票入れ１５の上部は蓋部１７で閉止されているため、雨が降った場合にも伝票１４を濡らすことがない。もちろん、梱包用箱１を繰り返して使用する場合にも他の伝票１４に容易に差し替えることができ、伝票１４を外箱４に貼り付けるような不都合はない。
【００１８】
このように被梱包物２を収納した梱包用箱１を持ち運ぶには、両側に設けられた把手１０を両手で把持する。このとき、左側が手前で右側が奥になるが、直方体状の外箱４の対角線上で支持する状態になる。被梱包物２が電子機器等の場合には、電子機器の外径に対して重量が大きい電源部等が左右又は前後に配置されている場合が多いことから重量バランスが悪いものであるが、そのような電子機器に対して斜めとなる対角線上で把持することにより、比較的重量バランスがよい状態で梱包用箱１を持つことができ、作業性が良い。しかも、把手１０の取付位置は、外箱４の上方に位置しているため、重心が把持部より下になり、安定した状態で持ち運ぶことができる。また、把手１０には、パイプ状部材１２が取り付けられているため、把手１０が可撓性のあるベルト状部材１１であったとしても手で持ちやすくなり、しかも、手に喰い込むことがなく作業を行いやすい。
【００１９】
つぎに、運搬過程において、複数の梱包用箱１を積み重ねて保管する必要がある。この場合には、前述のように把手１０を持って梱包用箱１を持ち上げて積み重ねるが、その積み重ね作業においては、手前側を少し浮かせて奥側を下の梱包用箱１に接触させて滑らせて大まかな位置決めをし、水平方向の位置が決まったら手前側を下ろして滑り止め部材１３の上に載せる。そのため、手前を浮かせるだけで位置修正が可能なため、梱包用箱１の位置整合作業が容易である。このようにして積み重ねられた状態においては、二つの滑り止め部材１３が滑り止めの機能を発揮して振動等があっても上下の梱包用箱１の間のずれが発生するおそれがなく、積み重ね状態が安定して保たれる。この機能を得るためには、滑り止め部材１３が二個あれば十分である。特に、これらの二個の滑り止め部材１３は、外箱４の手前側の両側に離間して設けられているため、ずれ防止の機能は高い。また、把手１０は、可撓性のあるベルト状部材１１により形成されているため、隣り合う梱包用箱１を比較的近くに配置することが可能である。このとき、隣り合う梱包用箱１の間の滑りを阻害することもない。
【００２０】
さらに、滑り止め部材１３が外箱４の上面に設けられている利点は、底面５には滑り止め部材１３がないので、梱包用箱１を引き摺って移動させた場合であっても、それが剥がれるような心配もないことである。そのため、梱包用箱１の乱暴な扱いも許容されるものである。
【００２１】
本願発明の梱包用箱は以上のような構成となっているため、運搬ごとに梱包用箱の保持部材や外箱を廃棄する必要がなくなることから、１回の使用にとどまらず複数回のリユースが可能であり、環境への負荷を減らすことができる。
【００２２】
なお、上述した梱包用箱の構成には、把手は設けられていないが、外箱の上面手前側の両側にそれぞれ１個ずつ滑り止め部材を設けた梱包用箱も含まれる。
【図面の簡単な説明】
【００２３】
【図１】本発明の実施の一形態を示す全体の斜視図である。
【図２】その上面図である。
【図３】把手の部分の斜視図である。
【図４】伝票入れの斜視図である。
【図５】蓋部を開いた状態の伝票入れの斜視図である。
【図６】蓋部とともに収納部を開いた状態の伝票入れの斜視図である。
【図７】被梱包物を収納した状態の一部を切り欠いた斜視図である。
【図８】内部の部品の配列を示す分解斜視図である。
【図９】上方の保持部材の展開図である。
【符号の説明】
【００２４】
２…被梱包物、３…蓋、４…外箱、７…側面、１０…把手、１１…ベルト状部材、１２…パイプ状部材、１３…滑り止め部材、１４…伝票、１５…伝票入れ、１６…収納部、１７…蓋部、１８…止着部材
【図１】
2006044672.tif 000003
【図２】
2006044672.tif 000004
【図３】
2006044672.tif 000005
【図４】
2006044672.tif 000006
【図５】
2006044672.tif 000007
【図６】
2006044672.tif 000008
【図７】
2006044672.tif 000009
【図８】
2006044672.tif 000010
【図９】
2006044672.tif 000011